(57)【要約】【課題】包材の使用面積を抑制しつつ、開口面からの缶の脱落を確実に防止できるマルチパック包装体を提供する。【解決手段】複数本の缶Ｃを包み込むように天板１の両側に側板２及び底板３が順次連設され、底板３同士が係合してスリーブ状に保形され、天板１に切込により形成された扇形状の頂部保持用タブ６が天板１の裏面側へ折り曲げられ、頂部保持用タブ６の弧状縁が缶Ｃの頂部周縁の巻締部ｔに内接して嵌合することにより缶Ｃの頂部が保持され、底板３から切り起された底部保持用タブ７の嵌合により缶Ｃの底部が保持されるマルチパック包装体において、頂部保持用タブ６には、弧状縁に凹状の係入部６ａが設けられ、缶Ｃの頂部周縁の巻締部ｔが係入部６ａに進入して係合するものとする。【選択図】図１
2019156479.tif 000002
【特許請求の範囲】
【請求項１】
複数本の缶(C)を包み込むように天板(1)の両側に側板(2)及び底板(3)が順次連設され、底板同士(3)が係合してスリーブ状に保形され、
前記天板(1)に切込により形成された扇形状の頂部保持用タブ(6)が天板(1)の裏面側へ折り曲げられ、頂部保持用タブ(6)の弧状縁が缶(C)の頂部周縁の巻締部(t)に内接して嵌合することにより缶(C)の頂部が保持され、前記底板(3)から切り起された底部保持用タブ(7)の嵌合により缶(C)の底部が保持されるマルチパック包装体において、
前記頂部保持用タブ(6)には、弧状縁に凹状の係入部(6a)が設けられ、缶(C)の頂部周縁の巻締部(t)が係入部(6a)に進入して係合することを特徴とするマルチパック包装体。
【請求項２】
複数本の缶(C)が並列し、各列に３本以上の缶(C)が配置されて包装される請求項１に記載のマルチパック包装体において、
前記係入部(6a)を有する頂部保持用タブ(6)は、各列の両端の缶(C)に対応する部分にのみ設けられていることを特徴とするマルチパック包装体。
【発明の詳細な説明】
【技術分野】
【０００１】
この発明は、複数本の缶を纏めて持ち運べるように集合包装するマルチパック包装体に関するものである。
【背景技術】
【０００２】
一般に、ビール等の缶を複数本纏めて運搬するために使用される板紙製のマルチパック包装体は、複数本の缶をスリーブ状に包み込み、両端から延出されたガゼットにより、開口面からの缶の脱落を防止する構造となっている。このようなマルチパック包装体では、ガゼットを設ける必要上、高価な耐水性板紙である包材の使用面積が大きくなる。
【０００３】
一方、下記特許文献１には、ガゼットがなくても開口面からの缶の脱落を防止でき、包材の使用面積を抑制できるマルチパック包装体が記載されている。
【０００４】
このマルチパック包装体は、図６に示すように、複数本の缶Ｃを包み込むように天板５１の両側に側板５２及び底板５３が順次連設され、底板５３同士が係合してスリーブ状に保形され、天板５１を切り込んで形成された扇形状の頂部保持用タブ５４の弧状縁の内接に伴う嵌合により缶Ｃの頂部が保持され、底板５３を切り込んで形成された底部保持用タブ（図示省略）の嵌合により缶Ｃの底部が保持されるものである。
【先行技術文献】
【特許文献】
【０００５】
【特許文献１】特表２０１７−５０９５５４号公報（明細書の段落［００３１］及び［００３２］並びに図１２、図１３）
【発明の概要】
【発明が解決しようとする課題】
【０００６】
しかしながら、上記特許文献１に記載されたようなマルチパック包装体では、持ち運びに際し、天板５１に撓みが生じると、頂部保持用タブ５４と缶Ｃの頂部との嵌合が外れ、缶Ｃが開口面から脱落する恐れがある。
【０００７】
そこで、この発明は、包材の使用面積を抑制しつつ、開口面からの缶の脱落を確実に防止できるマルチパック包装体を提供することを課題とする。
【課題を解決するための手段】
【０００８】
上記課題を解決するため、この発明は、複数本の缶を包み込むように天板の両側に側板及び底板が順次連設され、底板同士が係合してスリーブ状に保形され、
前記天板に切込により形成された扇形状の頂部保持用タブが天板の裏面側へ折り曲げられ、頂部保持用タブの弧状縁が缶の頂部周縁の巻締部に内接して嵌合することにより缶の頂部が保持され、前記底板から切り起された底部保持用タブの嵌合により缶の底部が保持されるマルチパック包装体において、
前記頂部保持用タブには、弧状縁に凹状の係入部が設けられ、缶の頂部周縁の巻締部が係入部に進入して係合するものとしたのである。
【０００９】
また、複数本の缶が並列し、各列に３本以上の缶が配置されて包装されるマルチパック包装体において、
前記頂部保持用タブは、各列の両端の缶に対応する部分にのみ設けられているものとして、天板の強度低下を防止すると共に、加工コストの低減を図ったのである。
【発明の効果】
【００１０】
この発明に係るマルチパック包装体では、頂部保持用タブの弧状縁が缶の巻締部に内接して嵌合すると共に、頂部保持用タブの係入部に缶の巻締部が進入して、缶の頂部が保持されるので、頂部保持用タブと缶の頂部との嵌合が外れにくくなり、包材の使用面積を抑制しつつ、開口面からの缶の脱落効果を高めることができる。
【図面の簡単な説明】
【００１１】
【図１】この発明の実施形態に係るマルチパック包装体による缶の集合包装状態を示す斜視図
【図２】同上の包装された缶の（２Ａ）頂部拡大断面図、（２Ｂ）底部拡大断面図
【図３】同上のマルチパック包装体のブランクを示す図
【図４】同上の頂部保持用タブの係入部の他形態を示す部分図
【図５】同上の頂部保持用タブの係入部の他形態を示す部分図
【図６】特許文献１に記載のマルチパック包装体の集合包装状態を示す斜視図
【発明を実施するための形態】
【００１２】
以下、この発明の実施形態を添付図面に基づいて説明する。
【００１３】
図１に示すように、このマルチパック包装体は、例えば、５００ｍｌ入りの６本の缶Ｃを２列に並列させ、各列に３本の缶Ｃを配置して包装するものである。缶Ｃは、図２に示すように、頂部周縁に巻締部ｔを有し、底面が窪んだ形状とされている。
【００１４】
図３に示すように、このマルチパック包装体の板紙製のブランクでは、天板１の両側に側板２及び底板３が順次連設されている。包装状態での缶Ｃの列方向に対応するブランクの寸法は、底板３の一部を除き、両端の缶Ｃが開口面から半分程度露出するように、ガゼットを有する従来のものよりも、小さく設定されている。
【００１５】
一方の底板３には差込片４及び係合片４ａが、他方の底板３には差込穴５及び係合穴５ａがそれぞれ設けられている。側板２には、缶Ｃの上部及び下部の傾斜に沿わせるため、折目線２ａ，２ｂがそれぞれ入れられ、一方の底板３には、係合片４ａと係合穴５ａの係合工程を補助するため、折目線３ａが入れられている。
【００１６】
天板１には、各列の両端の缶Ｃに対応する４か所にのみ、扇形状の頂部保持用タブ６が切目線を入れて形成されている。頂部保持用タブ６の弧状縁は、天板１の中央側へ向けられ、その弧状縁には凹状の係入部６ａが設けられている。頂部保持用タブ６の基部には、幅方向の折目線６ｂが入れられている。
【００１７】
両側の底板３から側板２の下部となる部分にかけては、６本の缶Ｃのそれぞれに対応して、先端が丸みを帯びた舌片状の底部保持用タブ７が切目線を入れて形成されている。底部保持用タブ７の基部及び中間部には、それぞれ幅方向の折目線が入れられている。
【００１８】
また、天板１には、一対の半円状の把手穴８が切目線を入れて形成されている。把手穴８は、缶Ｃの列間の部分に対応して、各列の両端の缶Ｃと中間の缶Ｃの間に位置し、押し込んで開けるようになっている。
【００１９】
このようなブランクを組み立てて缶Ｃを集合包装するには、図１に示すように、所定の配置とした缶Ｃの上面を天板１で覆い、側板２を下方へ折り曲げ、底板３を内側へ折り曲げて、両側の底板３の係合片４ａと係合穴５ａとを係合させ、差込片４を差込穴５へ差し込んで、缶Ｃを包囲するスリーブ状に保形する。
【００２０】
このとき、図２（２Ａ）に示すように、頂部保持用タブ６を天板１の裏面側へ折目線６ｂに沿って折り曲げ、折目線６ｂの反発により、頂部保持用タブ６の先端を缶Ｃの頂面に当接させ、頂部保持用タブ６の弧状縁を缶Ｃの巻締部ｔに内接するように嵌合させて、缶Ｃの頂部を保持する。
【００２１】
また、図２（２Ｂ）に示すように、底部保持用タブ７を基部及び中間部の折目線に沿ってＺ字状に折り曲げ、底部保持用タブ７の先端を缶Ｃの底面の窪みに嵌合させて、缶Ｃの底部を保持する。
【００２２】
このように缶Ｃを包装するマルチパック包装体では、持ち運びに際し、開口面から缶Ｃが抜け出そうとしても、缶Ｃの巻締部ｔが係入部６ａに進入して係合するので、頂部保持用タブ６と缶Ｃの頂部との嵌合が外れにくくなり、包材の使用面積を抑制しつつ、開口面からの缶Ｃの脱落防止効果を高めることができる。
【００２３】
また、天板１において、頂部保持用タブ６の係入部６ａは、把手穴８に指を入れて持ち運ぶ際、天板１の中央側が上方へ撓むと、頂部保持用タブ６の係入部６ａと缶Ｃの巻締部ｔとが一層強く係合するので、開口面から缶Ｃが脱落しにくくなる。
【００２４】
また、頂部保持用タブ６は、各列の両端の缶Ｃに対応する部分にのみ設けられ、中間の缶Ｃに対応する部分に設けられていないので、天板１の切込による強度低下が極力防止されるほか、加工コストの低減を図ることができる。
【００２５】
なお、頂部保持用タブ６の係入部６ａは、図４に示すように、開放端側の幅が少し広いスリット状としてもよい。この場合、缶Ｃの巻締部ｔが係入部６ａに進入すると、係入部６ａが缶Ｃの巻締部ｔを強く挟み込んで、缶Ｃの頂部が確実に保持される。
【００２６】
また、図５に示すように、頂部保持用タブ６の基部の折目線６ｂは、単線部６ｂ１と二股部６ｂ２とから成るものとしてもよい。この場合、折目線６ｂの折り曲げに伴う反発が強まり、頂部保持用タブ６と缶Ｃの頂部との嵌合が一層外れにくくなるので、缶Ｃの脱落防止効果をさらに高めることができる。
【００２７】
ところで、上記実施形態では、６本の缶Ｃを２列に並べて、各列に３本の缶Ｃを配置するマルチパック包装体について例示したが、４本の缶Ｃを２列に並べて、各列に２本の缶Ｃを配置するマルチパック包装体や、８本の缶Ｃを２列に並べて、各列に４本の缶Ｃを配置するマルチパック包装体においても、上記と同様に、頂部保持用タブ６に係入部６ａを設けた構成を採用することができる。
【符号の説明】
【００２８】
１  天板
２  側板
２ａ，２ｂ  折目線
３  底板
３ａ  折目線
４  差込片
４ａ  係合片
５  差込穴
５ａ  係合穴
６  頂部保持用タブ
６ａ  係入部
６ｂ  折目線
６ｂ１  単線部
６ｂ２  二股部
７  底部保持用タブ
８  把手穴
Ｃ  缶
ｔ  巻締部
【図１】
2019156479.tif 000003
【図２】
2019156479.tif 000004
【図３】
2019156479.tif 000005
【図４】
2019156479.tif 000006
【図５】
2019156479.tif 000007
【図６】
2019156479.tif 000008